(57)【要約】【課題】屈曲性と安定性とに優れたゴルフ靴の提供。【解決手段】アウトソール１２は、４本の溝３４を備えている。爪先側から踵側に向かって、第一溝３４１、第二溝３４２、第三溝３４３及び第四溝３４４が並んでいる。このアウトソール１２は、多数の筋山３６を備えている。具体的には、アウトソール１２は、第一筋山３６１、第二筋山３６２、第三筋山３６３、第四筋山３６４及び第五筋山３６５を備えている。これら筋山３６と溝３４とは、長さ方向に沿って交互に配置されている。このアウトソール１２は、突出部３８を備えている。具体的には、アウトソール１２は、第一突出部３８１、第二突出部３８２、第三突出部３８３及び第四突出部３８４を備えている。突出部３８は、長手方向において隣接している２つの筋山３６を連結している。アウトサイドにおける突出部３８の数は、インサイドにおける突出部３８の数よりも大きい。【選択図】図３
2010099213.tif 000002
【特許請求の範囲】
【請求項１】
アウトソールを備えており、
このアウトソールの屈曲部の底面に、実質的に幅方向に延在する複数の溝と、これら溝と交互に配置されかつ実質的に幅方向に延在する複数の筋山と、長手方向において隣接する筋山同士を連結する複数の突出部とを備えており、
アウトサイドにおける突出部の底面積の合計Ｓｏが、インサイドにおける突出部の底面積の合計Ｓｉよりも大きいゴルフ靴。
【請求項２】
上記突出部の底面形状が、踵から爪先に向けてアウトサイドに傾いている請求項１に記載のゴルフ靴。
【請求項３】
上記アウトソールの上面に幅方向に延在する溝を備えており、この溝の長さ方向位置が上記突出部の長さ方向位置と一致している請求項１又は２に記載のゴルフ靴。
【請求項４】
アウトソールを備えており、
このアウトソールの屈曲部の底面に、実質的に幅方向に延在する複数の溝と、これら溝と交互に配置されかつ実質的に幅方向に延在する複数の筋山と、長手方向において隣接する筋山同士を連結する複数の突出部とを備えており、
アウトサイドにおける突出部の数Ｎｏが、インサイドにおける突出部の数Ｎｉよりも大きいゴルフ靴。
【発明の詳細な説明】
【技術分野】
【０００１】
本発明は、ゴルフ靴に関する。詳細には、本発明は、ゴルフ靴のアウトソールの改良に関する。
【背景技術】
【０００２】
ゴルフのスイングは、アドレス、テイクバック、トップ、ダウンスイング、インパクト、フォロースルー及びフィニッシュの順に進行する。アドレスでは、ゴルフクラブのヘッドはゴルフボールの近くに位置する。この状態から、ゴルファーはテイクバックを開始する。右利きのゴルファーは、テイクバックにおいてヘッドを右へ、さらに上方へと振り上げる。最もヘッドが振り上げられた位置がトップ位置である。トップ位置からダウンスイングが開始されてヘッドが振り下ろされ、ヘッドがゴルフボールと衝突する（インパクト）。インパクト後、ゴルファーはゴルフクラブを左へ、さらに上方へと振り抜き（フォロースルー）、フィニッシュを迎える。
【０００３】
トップ位置からフィニッシュにかけて、ゴルファーは左足を軸としてボディターンを行う。同時にゴルファーは、右足で地面を蹴ってその力をゴルフボールに伝える。換言すれば、ゴルファーは、左足を軸足として使い、右足を蹴足として使う。左利きゴルファーの場合は、逆に右足を軸足として使い、左足を蹴足として使う。
【０００４】
テイクバックからトップまでの間に、蹴足がアウトサイドに傾くと、このアウトサイドに体重がかかる。これによりスイングの回転軸が移動し、ミスショットが誘発される。ダウンスイングからインパクトまでの間に、軸足がアウトサイドに傾くと、このアウトサイドに体重がかかる。これにより回転軸が移動し、ミスショットが誘発される。ゴルフ靴には、一般的な運動靴のアウトソールよりもねじれ剛性が高いアウトソールが採用されている。このアウトソールにより、足のアウトサイドへの傾きが抑制される。硬質なプレートによって捻り剛性が高められた靴が、特開２００１−２１８６０３公報及び特開２００５−１４３６５４公報に開示されている。
【０００５】
アウトソールの底面に幅方向に延在する溝を備えたゴルフ靴が、提案されている。溝の直上において、アウトソールは薄肉である。従って、この溝の近傍において、アウトソールは容易に屈曲する。ゴルフコースにおいてゴルファーは、長距離にわたる歩行を行う。溝を備えたゴルフ靴は足の屈曲に追従して屈曲するので、ゴルファーを疲れさせない。
【特許文献１】特開２００１−２１８６０３公報
【特許文献２】特開２００５−１４３６５４公報
【発明の開示】
【発明が解決しようとする課題】
【０００６】
前述のように、溝は歩行時の屈曲性に寄与する。一方この溝は、ねじれ剛性を阻害する。溝を有するゴルフ靴は、安定性に欠ける。このゴルフ靴は、ミスショットを誘発しやすい。
【０００７】
本発明の目的は、屈曲性と安定性とに優れたゴルフ靴の提供にある。
【課題を解決するための手段】
【０００８】
本発明に係るゴルフ靴は、アウトソールを備える。このアウトソールは、屈曲部の底面に、実質的に幅方向に延在する複数の溝と、これら溝と交互に配置されかつ実質的に幅方向に延在する複数の筋山と、長手方向において隣接する筋山同士を連結する複数の突出部とを備える。アウトサイドにおける突出部の底面積の合計Ｓｏは、インサイドにおける突出部の底面積の合計Ｓｉよりも大きい。
【０００９】
好ましくは、突出部の底面形状は、踵から爪先に向けてアウトサイドに傾いている。好ましくは、ゴルフ靴は、アウトソールの上面に幅方向に延在する溝を備える。この溝の長さ方向位置は、突出部の長さ方向位置と一致する。
【００１０】
本発明に係る他のゴルフ靴は、アウトソールを備える。このアウトソールは、屈曲部の底面に、実質的に幅方向に延在する複数の溝と、これら溝と交互に配置されかつ実質的に幅方向に延在する複数の筋山と、長手方向において隣接する筋山同士を連結する複数の突出部とを備える。アウトサイドにおける突出部の数Ｎｏは、インサイドにおける突出部の数Ｎｉよりも大きい。
【発明の効果】
【００１１】
本発明に係るゴルフ靴では、溝によって屈曲性が発揮される。このゴルフ靴は、歩行時に足の屈曲に追従しやすい。このゴルフ靴を着用したゴルファーは、長距離の歩行を行っても疲れにくい。このゴルフ靴では、突出部により、安定性が発揮される。このゴルフ靴では、スイング中の足のアウトサイドへの傾きが抑制される。このゴルフ靴により、ミスショットが抑制される。
【発明を実施するための最良の形態】
【００１２】
以下、適宜図面が参照されつつ、好ましい実施形態に基づいて本発明が詳細に説明される。
【００１３】
図１は、本発明の一実施形態に係るゴルフ靴２が示された一部切り欠き側面図である。この靴２は、右足用である。図１には、靴２のインサイドが示されている。右利きのゴルファーは、この靴２を蹴足に着用する。左利きのゴルファーは、この靴２を軸足に着用する。
【００１４】
このゴルフ靴２は、アッパー４とソール６とを備えている。ソール６は、インソール８、ミッドソール１０、アウトソール１２及び補強プレート１４からなる。
【００１５】
アッパー４は、主部１６、紐１８及びフラップ２０を備えている。主部１６には、既知の材料が用いられる。天然皮革、合成皮革、人工皮革、織布等が、主部１６に用いられうる。主部１６の内面に、内材が貼り付けられてもよい。典型的な内材は、織布である。内材として、透湿防水材料が用いられてもよい。典型的な透湿防水材料は、ゴアテックス（登録商標）からなるブーティである。
【００１６】
インソール８は、ミッドソール１０と積層されている。インソール８は、織布又は発泡合成樹脂からなる。インソール８は、足と接触する。このインソール８は、靴２を履く動作において、足の滑りに寄与する。インソール８はまた、履き心地に寄与する。インソール８が設けられなくてもよい。
【００１７】
ミッドソール１０は、発泡体からなる。典型的には、ミッドソール１０は多数の独立気泡を含む。着地時に、ミッドソール１０は圧縮変形を起こす。この圧縮変形により、衝撃が吸収される。ミッドソール１０における好ましい基材ポリマーは、エチレン−酢酸ビニル共重合体（ＥＶＡ）である。
【００１８】
衝撃吸収性の観点から、ミッドソール１０の硬度は７０以下が好ましく、６５以下が特に好ましい。強度の観点から、硬度は４０以上が好ましい。硬度は、「ＪＩＳ  Ｋ  ６２５３」の規定に準拠して、タイプＡのデュロメーターにて測定される。
【００１９】
アウトソール１２は、ミッドソール１０の下側に位置している。アウトソール１２は、ミッドソール１０と接合されている。接合は、接着剤によって達成されうる。アウトソール１２は、架橋ゴムからなる。好ましい基材ゴムとしては、天然ゴム（ＮＲ）、イソプレンゴム（ＩＲ）、ブタジエンゴム（ＢＲ）、スチレン−ブタジエンゴム（ＳＢＲ）、アクリロニトリル−ブタジエンゴム（ＮＢＲ）及びウレタンゴムが例示される。アウトソール１２に、ゴムと共に合成樹脂又はエラストマーが用いられてもよい。
【００２０】
耐摩耗性の観点から、アウトソール１２の硬度は７０以上が好ましく、７５以上が特に好ましい。屈曲性の観点から、硬度は８５以下が好ましく、８０以下が特に好ましい。硬度は、「ＪＩＳ  Ｋ  ６２５３」の規定に準拠して、タイプＡのデュロメーターにて測定される。
【００２１】
補強プレート１４は、硬質である。補強プレート１４は、ゴルフ靴２のねじれ剛性を高める。この補強プレート１４は、安定性に寄与する。補強プレート１４には、熱可塑性樹脂、熱可塑性エラストマー又はＥＶＡが用いられうる。剛性、成形性及び経済性の観点から、熱可塑性エラストマーが好ましい。熱可塑性エラストマーは、ハードセグメントとソフトセグメントとを有する。スチレンブタジエン系熱可塑性エラストマー（ＴＰＳ）、オレフィン系熱可塑性エラストマー（ＴＰＯ）、ポリエステル系熱可塑性エラストマー（ＴＰＥＥ）及びポリウレタン系熱可塑性エラストマー（ＴＰＵ）が用いられうる。ＴＰＵが好ましい。
【００２２】
安定性の観点から、補強プレート１４の硬度は９０以上が好ましい。スイングの容易の観点から、硬度は９５以下が好ましい。硬度は、「ＪＩＳ  Ｋ  ６２５３」の規定に準拠して、タイプＡのデュロメーターにて測定される。
【００２３】
図２は、図１のゴルフ靴２のアウトソール１２が補強プレート１４と共に示された底面図である。図２において、Ｘ方向は靴２の幅方向であり、Ｙ方向は靴２の長さ方向である。図２において符号Ｌで示されているのは、長さ線の両端を延長した直線である。この長さ線は、アウトソール１２の底面の輪郭内に画かれうる線分のうちで最長のものである。直線Ｌは、長さ方向Ｙに沿っている。図２において、直線Ｌよりも右側は靴２のインサイドであり、直線Ｌよりも左側は靴２のアウトサイドである。
【００２４】
アウトソール１２は、爪先部２２、屈曲部２４、アーチ部２６及び踵部２８を備えている。屈曲部２４は、アウトソール１２のうち、ゴルフ靴２を着用したゴルファーが歩行するときに最も屈曲する部分である。屈曲部２４は、足の趾骨と蹠骨との境界の近傍に相当する。このアウトソール１２は、多数の突起３０を備えている。アウトソール１２はさらに、鋲３２を備えている。左足用のアウトソールは、このアウトソール１２の形状が反転した形状を有する。
【００２５】
図３は、図２のアウトソール１２の一部が示された拡大図である。図４は、図３のIV−IV線に沿った拡大断面図である。図３には、屈曲部２４の近傍が示されている。このアウトソール１２は、屈曲部２４の底面に４本の溝３４を備えている。爪先側から踵側に向かって、第一溝３４１、第二溝３４２、第三溝３４３及び第四溝３４４が並んでいる。それぞれの溝３４は、実質的に幅方向に延在している。この溝３４は、幅方向の全長に渡って存在している。溝３４が、幅方向の一部にわたって存在してもよい。
【００２６】
図３に示される通り、このアウトソール１２は、屈曲部２４の底面に多数の筋山３６を備えている。具体的には、アウトソール１２は、第一筋山３６１、第二筋山３６２、第三筋山３６３、第四筋山３６４及び第五筋山３６５を備えている。これら筋山３６と溝３４とは、長さ方向に沿って交互に配置されている。それぞれの筋山３６は、実質的に幅方向に延在している。
【００２７】
第一筋山３６１は、第一溝３４１よりも爪先側に位置している。第一筋山３６１の数は、４である。４つの第一筋山３６１が、幅方向に沿って並んでいる。第二筋山３６２は、第一溝３４１と第二溝３４２との間に位置している。第二筋山３６２の数は、４である。４つの第二筋山３６２が、幅方向に沿って並んでいる。第三筋山３６３は、第二溝３４２と第三溝３４３との間に位置している。第三筋山３６３の数は、４である。４つの第三筋山３６３が、幅方向に沿って並んでいる。第四筋山３６４は、第三溝３４３と第四溝３４４との間に位置している。第四筋山３６４の数は、４である。４つの第四筋山３６４が、幅方向に沿って並んでいる。第五筋山３６５は、第四溝３４４よりも踵側に位置している。第四筋山３６４の数は、４である。４つの第一筋山３６４が、幅方向に沿って並んでいる。
【００２８】
図３に示される通り、このアウトソール１２は、屈曲部２４の底面に多数の突出部３８を備えている。具体的には、アウトソール１２は、第一突出部３８１、第二突出部３８２、第三突出部３８３及び第四突出部３８４を備えている。図４から明らかなように、突出部３８は溝３４から突出している。突出部３８は、筋山３６よりは突出していない。突出部３８は、筋山３６と一体に成形されている。突出部３８の長さ方向位置は、溝３４の長さ方向位置と一致している。換言すれば、突出部３８は、溝３４の一部がゴムで埋められた形態を呈する。
【００２９】
突出部３８は、長手方向において隣接している２つの筋山３６に挟まれており、これら筋山３６を連結している。具体的には、第一突出部３８１は、第一筋山３６１と第二筋山３６２とに挟まれている。第一突出部３８１は、第一筋山３６１と第二筋山３６２とを連結している。第一突出部３８１の数は、１である。第二突出部３８２は、第二筋山３６２と第三筋山３６３とに挟まれている。第二突出部３８２は、第二筋山３６２と第三筋山３６３とを連結している。第二突出部３８１の数は、２である。第三突出部３８３は、第三筋山３６３と第四筋山３６４とに挟まれている。第三突出部３８３は、第三筋山３６３と第四筋山３６４とを連結している。第三突出部３８１の数は、３である。第四突出部３８４は、第四筋山３６４と第五筋山３６５とに挟まれている。第四突出部３８４は、第四筋山３６４と第五筋山３６５とを連結している。第五突出部３８１の数は、４である。
【００３０】
図３から明らかなように、アウトサイド（直線Ｌよりも左側）には７個の突出部３８が存在している。インサイドには、３個の突出部３８が存在している。アウトサイドにおける突出部３８の数Ｎｏは、インサイドにおける突出部３８の数Ｎｉよりも大きい。
【００３１】
図３において黒く塗りつぶされている部分の面積は、突出部３８の底面積である。それぞれの突出部３８が、底面積を有する。アウトサイドにおける突出部３８の底面積の合計Ｓｏは、インサイドにおける突出部３８の底面積の合計Ｓｉよりも大きい。
【００３２】
このゴルフ靴２では、溝３４が存在するので、この溝３４の直上においてアウトソール１２が薄肉である。このアウトソール１２では、屈曲部２４が容易に変形しうる。このアウトソール１２は、足の屈曲に追従して屈曲しやすい。このゴルフ靴２を着用したゴルファーは、長時間の歩行によっても疲れにくい。
【００３３】
図４において矢印Ｄ１で示されているのは、溝３４の深さである。深さＤ１は、筋山３６の高さでもある。屈曲性の観点から、深さＤ１は０．５ｍｍ以上が好ましく、１．０ｍｍ以上が特に好ましい。深さＤ１は、１０ｍｍ以下が好ましい。
【００３４】
図３において矢印Ｗで示されているのは、溝３４の幅である。幅Ｗは、隣接する筋山３６同士の間隔でもある。屈曲性の観点から、幅Ｗは０．５ｍｍ以上が好ましく、１．０ｍｍ以上が特に好ましい。幅Ｗは、７ｍｍ以下が好ましい。
【００３５】
本発明では、ねじれ剛性Ｒｏ及びＲｉが、下記の通り定義される。
ねじれ剛性Ｒｏ：アーチ部２６が爪先部２２に対してアウトサイドに回転するときの                    ねじれ剛性
ねじれ剛性Ｒｉ：アーチ部２６が爪先部２２に対してインサイドに回転するときのね                    じれ剛性
右足用の靴２の場合、「アウトサイドに回転」とは踵側から見たときの時計回りの回転を意味し、「インサイドに回転」とは踵側から見たときの反時計回りの回転を意味する。左足用の靴の場合、「アウトサイドに回転」とは踵側から見たときの反時計回りの回転を意味し、「インサイドに回転」とは踵側から見たときの時計回りの回転を意味する。
【００３６】
アーチ部２６が爪先部２２に対してアウトサイドに回転するとき、屈曲部２４のアウトサイドには引っ張りの応力がかかる。前述の通り、このアウトサイドの突出部３８の数Ｎｏは大きいので、引っ張りの応力がかかってもこの突出部３８がアウトサイドの過剰な伸張を阻止する。このゴルフ靴２のねじれ剛性Ｒｏは、大きい。
【００３７】
アーチ部２６が爪先部２２に対してインサイドに回転するとき、屈曲部２４のインサイドには引っ張りの応力がかかる。前述の通り、このインサイドの突出部３８の数Ｎｉは少ない。引っ張りの応力がかかると、インサイドは十分に伸張する。このゴルフ靴２のねじれ剛性Ｒｉは、小さい。
【００３８】
バックスイングのとき、蹴足がアウトサイドに傾く動作は、「スウェイ」と称される。スウェイにより、スイングの回転軸がアウトサイドに移動する。スウェイは、ミスショットを誘発する。バックスイングの間に蹴足が動かないことにより、スウェイが抑制されうる。バックスイングの間に蹴足インサイドにやや傾いても、スウェイが抑制されうる。本発明にかかるゴルフ靴２では、前述のようにねじれ剛性Ｒｏが大きい。従って、このゴルフ靴２が蹴足に着用されたとき、蹴足がアウトサイドに傾きにくい。このゴルフ靴２により、スウェイが抑制される。
【００３９】
蹴足が地面を蹴ることにより、ゴルフクラブに大きな力が伝わる。十分な蹴りにより、大きなヘッドスピードにてインパクトがなされる。大きなヘッドスピードにより、ゴルフボールの大きな飛距離が得られる。ダウンスイングからインパクトにかけて、蹴足がインサイドに傾くことで、十分な蹴りが達成されうる。本発明にかかるゴルフ靴２では、前述のようにねじれ剛性Ｒｉが小さい。従って、このゴルフ靴２が蹴足に着用されたとき、インパクトにおいて蹴足がインサイドに傾きやすい。このゴルフ靴２により、大きなヘッドスピードが得られる。
【００４０】
バックスイングからトップにかけて、ゴルファーは軸足側の膝をインサイドに移動させる。この移動は、軸足のインサイドへの傾きを伴う。本発明にかかるゴルフ靴２では、前述のようにねじれ剛性Ｒｉが小さい。従って、このゴルフ靴２が軸足に着用されたとき、バックスイングにおいて軸足がインサイドに傾きやすい。このゴルフ靴２により、円滑なバックスイングがなされうる。
【００４１】
ダウンスイングからインパクトにかけて、ゴルファーは軸足で体重を支える。このとき、軸足がアウトサイドに傾くと、スイングの回転軸がアウトサイドに移動する。この移動は、ミスショットを誘発する。ダウンスイングの間に軸足が動かないことにより、ミスショットが防止される。本発明にかかるゴルフ靴２では、前述のようにねじれ剛性Ｒｏが大きい。従って、このゴルフ靴２が軸足に着用されたとき、軸足がアウトサイドに傾きにくい。このゴルフ靴２により、ミスショットが抑制される。
【００４２】
右足用の靴２が右利きゴルファーに着用されると、バックスイングでの回転軸の移動が阻止され、ダウンスイングで十分な蹴りが達成される。右足用の靴２が左利きゴルファーに着用されると、円滑なバックスイングが達成され、ダウンスイングでの回転軸の移動が阻止される。左足用の靴が右利きゴルファーに着用されると、円滑なバックスイングが達成され、ダウンスイングでの回転軸の移動が阻止される。左足用の靴が左利きゴルファーに着用されると、バックスイングでの回転軸の移動が阻止され、ダウンスイングで十分な蹴りが達成される。
【００４３】
このゴルフ靴２では、アウトサイドの突出部３８の数Ｎｏがインサイドの突出部３８の数Ｎｉより大きいので、大きなねじれ剛性Ｒｏと小さななじれ剛性Ｒｉとが達成される。数Ｎｉが小さいので、突出部３８の合計数が抑制される。従って、溝３４によって発揮される屈曲性が突出部３８によって阻害されない。このゴルフ靴２は、安定性及び屈曲性の両方に優れる。
【００４４】
大きなねじれ剛性Ｒｏと小さなねじれ剛性Ｒｉとの両立の観点から、数Ｎｏと数Ｎｉとの差（Ｎｏ−Ｎｉ）は２以上が好ましく、３以上が特に好ましい。差（Ｎｏ−Ｎｉ）は、１０以下が好ましい。数Ｎｏは、４以上１０以下が好ましい。数Ｎｉは、０以上６以下が好ましい。
【００４５】
前述の通り、アウトサイドにおける突出部３８の底面積の合計Ｓｏは、インサイドにおける突出部３８の底面積の合計Ｓｉよりも大きい。これにより、大きなねじれ剛性Ｒｏと小さなねじれ剛性Ｒｉとが両立される。差（Ｓｏ−Ｓｉ）は１００ｍｍ２以上が好ましく、１５０ｍｍ２以上が特に好ましい。差（Ｓｏ−Ｓｉ）は、２００ｍｍ２以下が好ましい。Ｓｏは、１５０ｍｍ２以上２５０ｍｍ２以下が好ましく、１７０ｍｍ２以上２３０ｍｍ２以下が特に好ましい。Ｓｉは、５０ｍｍ２以上２００ｍｍ２以下が好ましく、９０ｍｍ２以上１６０ｍｍ２以下が特に好ましい。
【００４６】
図４において矢印Ｈで示されているのは、突出部３８の高さである。大きなねじれ剛性が達成されうるとの観点から、溝３４の深さＤ１に対する高さＨの比（Ｈ／Ｄ１）は０．２以上が好ましく、０．４以上が特に好ましい。防滑性能の観点から、比（Ｈ／Ｄ１）は０．９以下が好ましい。
【００４７】
図３に示されるように、突出部３８の底面形状は、踵から爪先に向けてアウトサイドに傾いている。この傾きは、大きなねじれ剛性Ｒｏと小さななじれ剛性Ｒｉとの両立に寄与する。
【００４８】
図３において、符号Ｅ１で示されているのはインサイドであって長さ線Ｌから離れた領域であり、符号Ｅ２で示されているのはインサイドであって長さ線Ｌに隣接する領域であり、符号Ｅ３で示されているのはアウトサイドであって長さ線Ｌに隣接する領域であり、符号Ｅ４で示されているのはアウトサイドであって長さ線Ｌから離れた領域である。領域Ｅ１における突出部３８の数は、１である。領域Ｅ２における突出部３８の数は、２である。領域Ｅ３における突出部３８の数は、３である。領域Ｅ４における突出部３８の数は、４である。領域Ｅ１から領域Ｅ４に向かって、突出部３８の数が徐々に増加している。この増加は、大きなねじれ剛性Ｒｏと小さななじれ剛性Ｒｉとの両立に寄与する。
【００４９】
図３から明らかなように、領域Ｅ２では、第四突出部３８４の面積は第三突出部３８３の面積よりも大きい。領域Ｅ３では、第四突出部３８４の面積は第三突出部３８３の面積よりも大きく、第三突出部３８３の面積は第二突出部３８２の面積よりも大きい。領域Ｅ４では、第四突出部３８４の面積は第三突出部３８３の面積よりも大きく、第三突出部３８３の面積は第二突出部３８２の面積よりも大きく、第二突出部３８２の面積は第一突出部３８１の面積よりも大きい。各領域において、爪先から踵に向かって、突出部３８の面積が増加している。この増加は、大きなねじれ剛性Ｒｏと小さななじれ剛性Ｒｉとの両立に寄与する。
【００５０】
図４に示されるように、アウトソール１２は上面（ミッドソール１０と接する面）にも４本の溝４０を備えている。図示されていないが、それぞれの溝４０は幅方向に延在している。この溝４０の長さ方向位置は、底面の溝３４の長さ方向位置と一致している。換言すれば、溝４０の長さ方向位置は、突出部３８の長さ方向位置と一致している。
【００５１】
図５は、図４のアウトソール１２の使用状態が示された断面図である。歩行時に、アウトソール１２は屈曲する。アウトソール１２は上面にも溝４０を備えているので、屈曲時の変形中心ＣＬは溝３４と溝４０との間に位置する。従って、上面と変形中心ＣＬとの距離Ｌ１は十分に大きい。図６に示されるように、上面に溝４０を備えていないアウトソール１２の場合、上面と変形中心ＣＬとの距離Ｌ２は小さい。図５では、距離Ｌ１が小さいので、幅Ｗ１が小さい。図６では、距離Ｌ２が小大きいので、幅Ｗ２が大きい。図５では、突出部３８の過剰な変形が生じないので、突出部３８と筋山３６との間の亀裂が生じにくい。
【００５２】
図４において矢印Ｄ２で示されているのは、上面の溝４０の深さである。突出部３８と筋山３６との間の亀裂が抑制されるとの観点から、深さＤ２は０．５ｍｍ以上が好ましく、１．０ｍｍ以上が特に好ましい。深さＤ２は、５ｍｍ以下が好ましい。
【産業上の利用可能性】
【００５３】
本発明に係るゴルフ靴は、ゴルフ場でのプレーのときに着用されうる。このゴルフ靴は、ドライビングレンジでの練習のときにも着用されうる。
【図面の簡単な説明】
【００５４】
【図１】図１は、本発明の一実施形態に係るゴルフ靴が示された一部切り欠き側面図である。
【図２】図２は、図１のゴルフ靴のアウトソールが補強プレートと共に示された底面図である。
【図３】図３は、図２のアウトソールの一部が示された拡大図である。
【図４】図４は、図３のIV−IV線に沿った拡大断面図である。
【図５】図５は、図４のアウトソールの使用状態が示された断面図である。
【図６】図６は、本発明の他の実施形態に係るゴルフ靴のアウトソールの一部が示された断面図である。
【符号の説明】
【００５５】
２・・・ゴルフ靴
４・・・アッパー
６・・・ソール
１２・・・アウトソール
２２・・・爪先部
２４・・・屈曲部
２６・・・アーチ部
２８・・・踵部
３４・・・溝
３４１・・・第一溝
３４２・・・第二溝
３４３・・・第三溝
３４４・・・第四溝
３６・・・筋山
３６１・・・第一筋山
３６２・・・第二筋山
３６３・・・第三筋山
３６４・・・第四筋山
３６５・・・第五筋山
３８・・・突出部
３８１・・・第一突出部
３８２・・・第二突出部
３８３・・・第三突出部
３８４・・・第四突出部
４０・・・（上面の）溝
【図１】
2010099213.tif 000003
【図２】
2010099213.tif 000004
【図３】
2010099213.tif 000005
【図４】
2010099213.tif 000006
【図５】
2010099213.tif 000007
【図６】
2010099213.tif 000008